(57)【特許請求の範囲】
【請求項１】
角筒状のケース本体と、そのケース本体の下端部が嵌合される周壁を外周に有する下部台座と、ケース本体の上端部が嵌合される周壁を外周に有する天面パネルと、前記下部台座の上面から立ち上がり、前記天面パネルを支持する上部台座が上端に設けられた支柱と、その支柱の両側に設けられた灯具支持枠と、各灯具支持枠に上下両端部が着脱自在に支持された一対の灯具とからなり、
前記ケース本体の両側の一対の側面パネルが透光性を有し、その各側面パネルの前後縁に玄関備品が取付けられる正面パネルおよび背面パネルの両側部が衝合されるフランジを設け、そのフランジの両側縁に内向きに連結板を形成し、前記支柱の前側上下部および後側上下部に、一対の支持片を両側に有し、その支持片間にフック係合板が設けられたパネル支持枠を固定し、各パネル支持枠の支持片に頭部を有する係合ピンを突設し、前記側面パネルの連結板には係合ピンの頭部が挿入可能な大径孔を下部に有する係合孔を設け、前記正面パネルおよび背面パネルの内面上下部には、各パネルを側面パネルのフランジに衝合する状態で下方にスライドさせることによって前記フック係合板に係合するフックを設けたエントランスユニット。
【請求項２】
前記天面パネルの前記背面パネルと対向する位置に、その背面パネルが抜き挿し可能な開口部を形成し、その開口部を蓋体によって開閉自在とした請求項１に記載のエントランスユニット。
【請求項３】
前記背面パネルの外面に傘掛け用のコの字形のハンガーを取付けた請求項１又は２に記載のエントランスユニット。
【発明の詳細な説明】
【技術分野】
【０００１】
この発明は、玄関先に設けられるエントランスユニットに関するものである。
【背景技術】
【０００２】
近年、マンション等の中、高層建築物においては、各戸に一戸建ての高級な感じを与えるために、玄関先に共用廊下から入り込む玄関先広場を設け、その玄関先広場と共用廊下の境界部に門柱を設け、その門柱に表札や室番札、新聞受け、インターホン、照明灯等の玄関備品を取付けるようにしている。
【０００３】
ところで、従来は、門柱に対して玄関備品を個別に取付けるようにしているため、取付けに非常に手間がかかっていた。
【０００４】
そのような不都合を解消するため、本件出願人は、内部に照明灯が組込まれ、外部に表札等の玄関備品が取付けられた角筒状のエントランスユニットを特許文献１において既に提案している。
【特許文献１】特開２００５−２９０７４７号公報
【発明の開示】
【発明が解決しようとする課題】
【０００５】
ところで、既に提案したエントランスユニットにおいては、ケース本体を形成する角筒状の胴体と天パネル、上記胴体と底パネルのそれぞれをねじの締め付けによって結合する構成であるため、組み立てに手間がかかり、その組立て性の向上を図る上において改善すべき点が残されている。
【０００６】
また、胴体を形成する背面パネルに開口を形成し、その開口の内周と、上記開口を開閉する蓋体の外周間に隙間が存在するため、胴体内部に組込まれた照明灯を点灯した際に、上記隙間から光が漏れて見栄えが悪くなり、あるいは隙間から胴体内部に虫が入り込んで胴体内部を汚し、改善すべき点が残されている。
【０００７】
この発明の課題は、光の漏れや虫の侵入を防止することができるようにした組み立ての容易なエントランスユニットを提供することである。
【課題を解決するための手段】
【０００８】
上記の課題を解決するために、この発明においては、角筒状のケース本体と、そのケース本体の下端部が嵌合される周壁を外周に有する下部台座と、ケース本体の上端部が嵌合される周壁を外周に有する天面パネルと、前記下部台座の上面から立ち上がり、前記天面パネルを支持する上部台座が上端に設けられた支柱と、その支柱の両側に設けられた灯具支持枠と、各灯具支持枠に上下両端部が着脱自在に支持された一対の灯具とからなり、前記ケース本体の両側の一対の側面パネルが透光性を有し、その各側面パネルの前後縁に玄関備品が取付けられる正面パネルおよび背面パネルの両側部が衝合されるフランジを設け、そのフランジの両側縁に内向きに連結板を形成し、前記支柱の前側上下部および後側上下部に、一対の支持片を両側に有し、その支持片間にフック係合板が設けられたパネル支持枠を固定し、各パネル支持枠の支持片に頭部を有する係合ピンを突設し、前記側面パネルの連結板には係合ピンの頭部が挿入可能な大径孔を下部に有する係合孔を設け、前記正面パネルおよび背面パネルの内面上下部には、各パネルを側面パネルのフランジに衝合する状態で下方にスライドさせることによって前記フック係合板に係合するフックを設け、前記天面パネルには背面パネルと対向する位置に、その背面パネルが抜き挿し可能な開口部を形成し、その開口部を蓋によって開閉自在とした構成を採用したのである。
【０００９】
上記の構成からなるエントランスユニットの組み立てに際しては、先ず、側面パネルの連結板に形成された係合孔の大径孔に係合ピンの頭部を挿入した後、その側面パネルを下方にスライドさせ、係合ピンと係合孔の係合によって側面パネルを固定する。
【００１０】
次に、一対の側面パネルの左右で対向するフランジの外面に正面パネルおよび背面パネルの両側部を衝合し、その衝合状態を保持する状態で各パネルを下方にスライドさせ、フック係合板に対するフックの係合によって正面パネルおよび背面パネルを固定して、角筒状のケース本体を組立てる。
【００１１】
ケース本体の組み立て後、そのケース本体の上端に天面パネルを衝合し、この天面パネルを上部台座にねじ止めすることによって、エントランスユニットの組み立てが完了する。
【００１２】
この発明に係るエントランスユニットにおいて、天面パネルの前記背面パネルと対向する位置に、その背面パネルが抜き挿し可能な開口部を形成し、その開口部に開閉自在の蓋体を設けることにより、背面パネルの引き上げによってその背面パネルを開口部から上方に取外すことができる。その背面パネルの取り外しによって一対の側面パネル間に開口を形成することができるため、その開口から灯具の取替えを簡単に行うことができる。
【００１３】
ここで、背面パネルの外面に傘掛け用のコの字形のハンガーを取付けておくと、そのハンガーを持って背面パネルの上げ下げを行うことができるため、背面パネルの着脱操作の容易化を図ることができる。
【発明の効果】
【００１４】
上記のように、この発明においては、係合孔の大径孔に係合ピンを挿入して側面パネルを下方にスライドさせることにより、その側面パネルを固定することができると共に、その側面パネルの外面に正面パネルおよび背面パネルを衝合して下方にスライドさせることにより、フックがフック係合板に係合して、正面パネルおよび背面パネルを固定することができるため、各パネルの組み立てに工具を必要とせず、エントランスユニットを極めて容易に組み立てることができる。
【００１５】
また、エントランスユニットの組立て状態では、正面パネルおよび背面パネルの両側部が側面パネルのフランジの外面に衝合し、各パネルで形成される角筒状のケース本体の上下両端部が天面パネルおよび下部台座の外周に形成された周壁内に嵌合されるため、ケース本体内に虫が侵入することが無く、また各パネルの接続部に光が漏れるような隙間が形成されることもないので、体裁の良好なエントランスユニットを得ることができる。
【００１６】
さらに、蓋体を開放して背面パネルを引上げることによって、その背面パネルを取外すことができるため、背面パネルの取外しによって形成された開口から灯具を容易に交換することができる。
【発明を実施するための最良の形態】
【００１７】
以下、この発明の実施の形態を図面に基いて説明する。図１に示すように、玄関先広場の床面１には角形の支柱２が起立し、その支柱２の前面上部に新聞受け３が設けられている。新聞受け３は、受け皿３ａと、その上方に設けられたコの字形の支持枠３ｂから成り、上記支持枠３ｂによって受け皿３ａによって支持された新聞の倒れを防止するようにしている。
【００１８】
また、支柱２の上面と天井面４間にこの発明に係るエントランスユニット１０が設けられている。
【００１９】
図２乃至図４および図７に示すように、エントランスユニット１０は、角筒状のケース本体１１と、そのケース本体１１の下端開口を閉鎖する下部台座１２と、ケース本体１１の上端開口を閉鎖する天面パネル１３と、上記下部台座１２の上面から起立し、上端に天面パネル１３を支持する上部台座１４が設けられた支柱１５と有している。
【００２０】
下部台座１２の外周には、ケース本体１１の下端部が嵌合される周壁１２ａが設けられている。この下部台座１２は支柱２の上面に載置され、その上側から支柱２の上部内に埋め込まれたアンカ５にねじ込まれるビス６の締め付けによって支柱２に固定される。
【００２１】
ケース本体１１は、一対の側面パネル１６と、その側面パネル１６の前側部間に設けられた正面パネル１７と、一対の側面パネル１６の後側部間に設けられた背面パネル１８とから成り、上記側面パネル１６は、前後縁に一対のフランジ１６ａが設けられ、各フランジ１６ａの側縁から内向きに連結板１６ｂが形成されている。この側面パネル１６は、アクリル樹脂等の透光性を有する材料から形成されている。
【００２２】
正面パネル１７および背面パネル１８は、一対の側面パネル１６のフランジ１６ａの外面に両側部が衝合される組付けとされる。この各パネル１７、１８の内面の両側部には上下方向に延びる左右一対の縦枠１９が固定され、各縦枠１９の上下両端部に下向きにフック２０が設けられている。
【００２３】
正面パネル１７には、図１に示すように、室名札ＡやインターホンＢ等の玄関備品が取付けられている。一方、背面パネル１８の外面には、傘の柄が掛け吊り可能なコの字形のハンガー２１が取付けられている。
【００２４】
図２に示すように、支柱１５の両側面には一対の灯具支持枠２２が取付けられている。各灯具支持枠２２は上下で対向する一対の折曲げ片２２ａを有し、各折曲げ片２２ａに固定されたソケット２３によって直管型の蛍光灯から成る灯具２４が着脱自在に支持されている。
【００２５】
図４および図５に示すように、支柱１５の前後面の上下部には、パネル支持枠２５が固定されている。パネル支持枠２５は、両側に一対の支持板２５ａを有し、その一対の支持板２５ａ間にフック係合板２６が渡され、このフック係合板２６に対して正面パネル１７および背面パネル１８の内面側に設けられた上記フック２０が係合自在とされている。
【００２６】
図２に示すように、天面パネル１３は、上部台座１４にねじ込まれるビス２７の締め付けによって上部台座１４に取付けられている。この天面パネル１３の外周には、ケース本体１１の上端部が嵌合される周壁１３ａが設けられている。
【００２７】
また、天面パネル１３には、図５に示すように、背面パネル１８の上端と対向する位置に、背面パネル１８が抜き差し可能な大きさの開口部２８が設けられ、その開口部２８に蓋体２９が開閉自在に設けられている。
【００２８】
図５に示すように、側面パネル１６における連結板１６ｂの上下端部には、係合孔３０が形成され、その係合孔３０の下部は大径孔３０ａとされている。一方、パネル支持枠２５における支持板２５ａの外側面には上記係合孔３０に対して係合可能な係合ピン３１が突設され、その係合ピン３１に大径孔３０ａに対して挿入可能な頭部３１ａが設けられている。
【００２９】
図２に示すように、上部台座１４の上面には角形の支持筒３２が固定され、その支持筒３２の上部は天井面４にねじ止めされたガイド筒３３内にスライド自在に挿入されている。
【００３０】
図５に示すように、ガイド筒３３には上下方向に長い長孔３４が設けられ、その長孔３４に挿入されたビス３５を支持筒３２にねじ込むことによって、その支持筒３２が固定される。
【００３１】
実施の形態で示すエントランスユニット１０は上記の構造から成り、そのエントランスユニット１０の組立てに際しては、先ず、支柱２の上面に下部台座１２をアンカ５にねじ込むビス６の締め付けによって固定すると共に、天井面４にガイド筒３３を固定し、そのガイド筒３３内に天面パネル１３に設けられた支持筒３２を挿入し、長孔３４から支持筒３２にねじ込むビス３５の締め付けによって天面パネル１３を仮止めする。
【００３２】
下部台座１２の固定後、一対の側面パネル１６の連結板１６ｂに形成された係合孔３０の大径孔３０ａに係合ピン３１の頭部３１ａを挿入して側面パネル１６を引き下げる。その引き下げによって側面パネル１６の下端部が下部台座１２の周壁１２ａ内に嵌合されると共に、係合ピン３１に係合孔３０が係合し、その係合によって一対の側面パネル１６が固定される。
【００３３】
一対の側面パネル１６の取付け後、その一対の側面パネル１６の前側部間に正面パネル１７を配置すると共に、一対の側面パネル１６の後側部間に背面パネル１８を配置し、各パネル１７、１８の両側部が側面パネル１６のフランジ１６ａに衝合し、かつ内面側に設けられたフック２０がフック係合板２６の上方に配置される状態で、その正面パネル１７および背面パネル１８を引き下げる。
【００３４】
正面パネル１７および背面パネル１８の引き下げにより、各パネル１７、１８の下端部が下部台座１２の周壁１２ａ内に嵌合されると共に、各パネル１７、１８の内面側に設けられたフック２０がフック係合板２６に係合し、その係合によって正面パネル１７および背面パネル１８が固定され、角筒状のケース本体１１が組立てられる。
【００３５】
ケース本体１１の組立て後、天面パネル１３を上部台座１４の上面で支持される位置まで引き下げ、その天面パネル１３を上部台座１４にねじ止めし、かつビス３５を締付けることによりエントランスユニット１０の組立てが完了する。
【００３６】
上記のように、係合孔３０の大径孔３０ａに係合ピン３１を挿入して側面パネル１６を下方にスライドさせることにより、その側面パネル１６を固定することができ、また、側面パネル１６のフランジ１６ａの外面に正面パネル１７および背面パネル１８を衝合して下方にスライドさせることにより、フック２０がフック係合板２６に係合して、正面パネル１７および背面パネル１８を固定することができるため、各パネルの組み立てに工具を必要とせず、エントランスユニット１０を極めて容易に組み立てることができる。
【００３７】
また、エントランスユニット１０の組立て状態では、正面パネル１７および背面パネル１８の両側部が側面パネル１６のフランジ１６ａの外面に衝合し、各パネルで形成される角筒状のケース本体１１の上下両端部が下部台座１２および天面パネル１３の外周に形成された周壁１２ａ、１３ａ内に嵌合されるため、ケース本体１１内は密閉状態とされる。このため、ケース本体１１内に虫が侵入するようなことは無く、また、各パネルの接続部に光が漏れるような隙間が形成されることもないので、体裁の良好なエントランスユニット１０を得ることができる。
【００３８】
灯具２４の交換に際しては、図６に示すように、天面パネル１３に取付けられた蓋体２９を開放し、背面パネル１８の引き上げによって、その背面パネル１８を開口部２８から取出した後、一対の側面パネル１６間に形成された開口から灯具２４の取替えを行うようにする。
【００３９】
このように、背面パネル１８を取外すことによって、一対の側面パネル１６間に開口が形成されるため、灯具２４を簡単に交換することができる。
【図面の簡単な説明】
【００４０】
【図１】(Ｉ)は、この発明に係るエントランスユニットの実施の形態を示す正面図、(II)は側面図
【図２】図１(Ｉ)に示すエントランスユニットの縦断正面図
【図３】図２のIII−III線に沿った断面図
【図４】図２のIV−IV線に沿った断面図
【図５】図２のＶ−Ｖ線に沿った断面図
【図６】エントランスユニットの背面パネルを取外した状態の断面図
【図７】エントランスユニットの分解斜視図
【符号の説明】
【００４１】
１１    ケース本体
１２    下部台座
１２ａ  周壁
１３    天面パネル
１３ａ  周壁
１４    上部台座
１５    支柱
１６    側面パネル
１６ａ  フランジ
１６ｂ  連結板
１７    正面パネル
１８    背面パネル
２０    フック
２１    ハンガー
２２    灯具支持枠
２４    灯具
２５    パネル支持枠
２５ａ  支持板
２６    フック係合板
２８    開口部
２９    蓋体
３０    係合孔
３０ａ  大径孔
３１    係合ピン
３１ａ  頭部
【図１】
0004713322.tif 000002
【図２】
0004713322.tif 000003
【図３】
0004713322.tif 000004
【図４】
0004713322.tif 000005
【図５】
0004713322.tif 000006
【図６】
0004713322.tif 000007
【図７】
0004713322.tif 000008